(57)【要約】【課題】長尺の被梱包物用の梱包材において、落下時等の被梱包物のたわみによる変形及び積段時等の外装材の中央部分の潰れを抑制できる梱包材を提供する。【解決手段】梱包材１００は、長尺の被梱包物１を内部に収容する外装箱１１０と、外装箱１１０の内側に配置され被梱包物１の長手方向の両端部を支持する一対の端部支持材１２０と、外装箱１１０の内側における一対の端部支持材１２０の間に配置される中間補強材１３０と、を備える。中間補強材１３０は、上端部が外装箱１１０の上面の内側に当接し、かつ、下端部が外装箱１１０の下面の内側に当接するとともに、被梱包物１の上面部及び下面部の一方又は両方の部分と当該部分に対向する外装箱１１０の内面との間に配置されるクッション部を有する。【選択図】図１
2019099163.tif 000002
【特許請求の範囲】
【請求項１】
長尺の被梱包物を内部に収容する外装箱と、
前記外装箱の内側に配置され、前記被梱包物の長手方向の両端部をそれぞれ支持する一対の端部支持材と、
前記外装箱の内側における前記一対の端部支持材の間に配置される中間補強材と、を備え、
前記中間補強材は、上端部が前記外装箱の上面の内側に当接し、かつ、下端部が前記外装箱の下面の内側に当接するとともに、前記被梱包物の上面部及び下面部の一方又は両方の部分と当該部分に対向する前記外装箱の内面との間に配置されるクッション部を有する梱包材。
【請求項２】
前記被梱包物は、前記中間補強材に形成された切欠部の内側を通されて配置される請求項１に記載の梱包材。
【請求項３】
前記被梱包物は、前記中間補強材に形成された穴部の内側を通されて配置される請求項１に記載の梱包材。
【請求項４】
前記クッション部は、前記被梱包物の上面部及び下面部の一方又は両方の部分と当接する請求項１から請求項３のいずれか一項に記載の梱包材。
【請求項５】
前記クッション部は、前記被梱包物の長手方向中心に配置される請求項１から請求項４のいずれか一項に記載の梱包材。
【請求項６】
前記クッション部は、前記被梱包物の重心に配置される請求項１から請求項４のいずれか一項に記載の梱包材。
【請求項７】
前記中間補強材は、複数設けられる請求項１から請求項４のいずれか一項に記載の梱包材。
【発明の詳細な説明】
【技術分野】
【０００１】
この発明は、梱包材に関するものである。
【背景技術】
【０００２】
長尺の被梱包物を梱包する梱包材においては、長尺状の照明器具（被梱包物）の長手方向の両端部に装着され、照明器具の端面を覆う端面包装部、及び、端面包装部を含めて照明器具の端部の長手方向と交差する周囲を包み込んで覆う周囲包装部を有する対の端部包装材と、端部包装材が装着された照明器具を包み込む１枚の個別外装材と、を備えたものが知られている（例えば、特許文献１参照）。
【先行技術文献】
【特許文献】
【０００３】
【特許文献１】特開２００２−１６０７６８号公報
【発明の概要】
【発明が解決しようとする課題】
【０００４】
しかしながら、特許文献１に示されるような梱包材においては、長尺の被梱包物の長手方向の両端部のみが端部包装材により梱包される。このため、梱包状態での運搬中に誤って落下した場合、被梱包物の両端部しか支持していないために、被梱包物の中央部分が衝撃でたわんで変形しやすく破損する懸念がある。また、倉庫での段積み保管時等に、外装材の中央部分に上部から圧縮荷重が加わった場合に潰れやすい。特に、外装材の箱同士の位置がずれて積段される場合、異なる寸法の箱が上段に積まれる場合等に、下段の外装材の中央部に荷重が加わって潰れる懸念がある。
【０００５】
この発明は、このような課題を解決するためになされたものである。その目的は、長尺の被梱包物を梱包する梱包材であって、落下時等の被梱包物のたわみによる変形及び積段時等の外装材の中央部分の潰れの一方又は両方を抑制できる梱包材を得ることにある。
【課題を解決するための手段】
【０００６】
この発明に係る梱包材は、長尺の被梱包物を内部に収容する外装箱と、前記外装箱の内側に配置され、前記被梱包物の長手方向の両端部をそれぞれ支持する一対の端部支持材と、前記外装箱の内側における前記一対の端部支持材の間に配置される中間補強材と、を備え、前記中間補強材は、上端部が前記外装箱の上面の内側に当接し、かつ、下端部が前記外装箱の下面の内側に当接するとともに、前記被梱包物の上面部及び下面部の一方又は両方の部分と当該部分に対向する前記外装箱の内面との間に配置されるクッション部を有する。
【発明の効果】
【０００７】
この発明に係る梱包材によれば、落下時等の被梱包物のたわみによる変形及び積段時等の外装材の中央部分の潰れの一方又は両方を抑制できるという効果を奏する。
【図面の簡単な説明】
【０００８】
【図１】この発明の実施の形態１に係る梱包材の分解斜視図である。
【図２】この発明の実施の形態１に係る梱包材が備える中間補強材の斜視図である。
【図３】この発明の実施の形態１に係る梱包材の梱包途中の状態を示す斜視図である。
【図４】この発明の実施の形態１に係る梱包材の外装箱の中に被梱包材を収めた状態を示す斜視図である。
【図５】この発明の実施の形態１に係る梱包材を積段した状態の一例を示す斜視図である。
【図６】この発明の実施の形態１に係る梱包材を積段した状態の一例を示す斜視図である。
【図７】この発明の実施の形態２に係る梱包材の分解斜視図である。
【図８】この発明の実施の形態２に係る梱包材が備える中間補強材の斜視図である。
【図９】この発明の実施の形態２に係る梱包材の梱包途中の状態を示す斜視図である。
【図１０】この発明の実施の形態２に係る梱包材の外装箱の中に被梱包材を収めた状態を示す斜視図である。
【発明を実施するための形態】
【０００９】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１０】
実施の形態１．
図１から図６は、この発明の実施の形態１に係るもので、図１は梱包材の分解斜視図、図２は梱包材が備える中間補強材の斜視図、図３は梱包材の梱包途中の状態を示す斜視図、図４は梱包材の外装箱の中に被梱包材を収めた状態を示す斜視図、図５は梱包材を積段した状態の一例を示す斜視図、図６は梱包材を積段した状態の一例を示す斜視図である。
【００１１】
この発明の実施の形態１に係る梱包材１００は、長尺の被梱包物１を梱包するものである。長尺の被梱包物１は、具体的に例えば照明器具等の電気機器製品である。図１に示すように、梱包材１００は、外装箱１１０、端部支持材１２０及び中間補強材１３０を備えている。
【００１２】
外装箱１１０は、梱包材１００の外殻を構成する部材である。すなわち、外装箱１１０の内部には被梱包物１が収容される。外装箱１１０は、中空の細長い長方体状を呈する。外装箱１１０の例えば上面は蓋部１１１により開閉できるようになっている。外装箱１１０は例えば段ボールからなる。端部支持材１２０は一対設けられる。端部支持材１２０には中央部に凹部が形成されている。この凹部は、被梱包物１の長手方向の端部の外形に合わせた形状になっている。
【００１３】
図２に示すように、中間補強材１３０は、背板部１３１と一対の側板部１３２とを有する。背板部１３１は矩形板状を呈する。背板部１３１の両端には、側板部１３２がそれぞれ設けられている。一対の側板部１３２は、同じ矩形板状を呈する。背板部１３１の高さ方向の寸法と一対の側板部１３２の高さ方向の寸法とは同一である。そして、中間補強材１３０の高さ方向の寸法は、外装箱１１０の内寸高さと同一である。
【００１４】
それぞれの側板部１３２は、背板部１３１から垂直な同方向に延びている。それぞれの側板部１３２の背板部１３１とは反対側の端部から当該側板部１３２の中央部にかけて、切欠部１３３が形成されている。この切欠部１３３の上方にある側板部１３２の部分が上クッション部１３４である。また、切欠部１３３の下方にある側板部１３２の部分が下クッション部１３５である。切欠部１３３の形状、すなわち、上クッション部１３４及び下クッション部１３５の内縁形状は、被梱包物１の長手に垂直な切断面における断面形状に合わせたものになっている。
【００１５】
中間補強材１３０は、例えば、１枚の段ボールシートの両端を折り曲げて背板部１３１に対し側板部１３２を垂直に立ち上げることで作ることができる。ただし、中間補強材１３０の材質は段ボールに限られない。他に例えば、発泡スチロール、プラスチック樹脂等を成形して中間補強材１３０を作ってもよい。
【００１６】
被梱包物１を梱包材１００により梱包する際には、まず、図３に示すように、一対の端部支持材１２０の一方は、被梱包物１の長手方向の一端部にかぶせられる。また、一対の端部支持材１２０の他方は、被梱包物１の長手方向の他端部にかぶせられる。そして、中間補強材１３０は、一対の端部支持材１２０の間に配置される。この際、被梱包物１は、中間補強材１３０に形成された切欠部１３３の内側を通される。
【００１７】
実施の形態１の構成例では、被梱包物１が中間補強材１３０の切欠部１３３の内側を通された状態において、被梱包物１の上面部は、切欠部１３３の内側から上クッション部１３４に接している。また、被梱包物１の下面部は、切欠部１３３の内側から下クッション部１３５に接している。
【００１８】
次に、図４に示すように、被梱包物１、端部支持材１２０及び中間補強材１３０が外装箱１１０の内側に収容される。そして、蓋部１１１を閉じることで梱包材１００による被梱包物１の梱包が完成する。この状態において、一対の端部支持材１２０は、外装箱１１０の内側において、被梱包物１の長手方向の両端部をそれぞれ支持している。
【００１９】
また、前述したように、中間補強材１３０の高さ方向の寸法は、外装箱１１０の内寸高さと同一である。したがって、中間補強材１３０の上端部は、外装箱１１０の上面の内側に当接する。そして、中間補強材１３０の下端部は、外装箱１１０の下面の内側に当接する。
【００２０】
ここで、中間補強材１３０の上端部は、上クッション部１３４の上端部である。また、中間補強材１３０の下端部は、下クッション部１３５の下端部である。したがって、上クッション部１３４は被梱包物１の上面部と当該上面部に対向する外装箱１１０の内面との間に配置される。そして、下クッション部１３５は、被梱包物１の下面部と当該下面部に対向する外装箱１１０の内面との間に配置される。このようにして、この実施の形態１においては、上クッション部１３４及び下クッション部１３５は、被梱包物１の上面部及び下面部の両方の部分と当該部分に対向する外装箱１１０の内面との間に配置されるクッション部を構成している。
【００２１】
以上のように構成された梱包材１００は、中間補強材１３０のクッション部が被梱包物１の上面部と外装箱１１０の上面の内側との間、及び、被梱包物１の下面部と外装箱１１０の下面の内側との間に配置されている。このため、外装箱１１０の上面又は下面を下に向けて梱包材１００が落下した際の衝撃により被梱包物１がたわんだとしても、被梱包物１の中央部が中間補強材１３０のクッション部に当たることで、たわみの程度を低減できる。
【００２２】
また、この実施の形態１においては、梱包材１００による被梱包物１の梱包が完成した状態で、被梱包物１の上面部は、切欠部１３３の内側から上クッション部１３４に接している。そして、被梱包物１の下面部は、切欠部１３３の内側から下クッション部１３５に接している。すなわち、前述のクッション部は、被梱包物１の上面部及び下面部の両方と当接している。このため、外装箱１１０の上面又は下面を下に向けて梱包材１００が落下した際の衝撃により被梱包物１がたわんで変形することを、さらに低減又は抑制できる。
【００２３】
次に、以上のように構成された梱包材１００を積段した、すなわち複数段に積み重ねた場合を考える。この際、同じ形状及び大きさの梱包材１００を積段しても、何らかの事情により、図５に示すように、ある段から上がそれより下の段とずれてしまうことがある。このような場合、「ずれ」が発生したすぐ下の段の梱包材１００の中央部に、その上の段の梱包材１００の端部が載って荷重がかかる。また、図６に示すように、梱包材１００の上に梱包材１００とは大きさ、形状が異なる他の荷物２００が載せられた場合も、他の荷物２００の下の梱包材１００の中央部に荷重がかかる。
【００２４】
この発明の実施の形態１に係る梱包材１００は、中間補強材１３０の上下端部の両方が、外装箱１１０の上下面の内側にそれぞれ当接している。このため、この発明の実施の形態１に係る梱包材１００よれば、このような場合等に梱包材１００の中央部にかかった荷重を、外装箱１１０の内側から中間補強材１３０で支持し、外装箱１１０の中央部分の潰れを抑制できる。
【００２５】
なお、上クッション部１３４及び下クッション部１３５は、いずれか一方のみでもよい。すなわち、中間補強材１３０は、被梱包物１の上面部及び下面部の一方又は両方の部分と当該部分に対向する外装箱１１０の内面との間に配置されるクッション部を有すればよい。ただし、上クッション部１３４及び下クッション部１３５の一方のみしか設けない場合であっても、中間補強材１３０の上端部が外装箱１１０の上面の内側に当接し、かつ、中間補強材１３０の下端部が外装箱１１０の下面の内側に当接するようにする。また、クッション部は、被梱包物１と当接しなくともよいし、被梱包物１の上面部及び下面部の一方又は両方の部分と当接するようにしてもよい。このようにすることで、落下時等の被梱包物１のたわみによる変形及び積段時等の外装箱１１０の中央部分の潰れの一方又は両方を抑制できる。
【００２６】
なお、この実施の形態１においては、被梱包物１は中間補強材１３０の切欠部１３３内を通されている。したがって、中間補強材１３０の一部は、被梱包物１の一方の側面部と当該側面部に対向する外装箱１１０の内面との間に配置される。このため、当該側面部の側を下にして梱包材１００が落下した際の被梱包物１のたわみによる変形も抑制できる。
【００２７】
また、この実施の形態１においては、被梱包物１の当該一方の側面部が中間補強材１３０に接している。したがって、当該側面部の側を下に向けて梱包材１００が落下した際の衝撃により被梱包物１がたわんで変形することを、さらに低減又は抑制できる。
【００２８】
ただし、この実施の形態１においては、中間補強材１３０の被梱包物１の他方の側面部の側は切り欠かれており、この他方の側面部と当該側面部に対向する外装箱１１０の内面との間には中間補強材１３０が存在しない。そこで、被梱包物１の最も強度が強い側が、中間補強材１３０の切り欠かれた側に配置されるようにすることで、梱包材１００全体としての被梱包物１の破損リスクを最小化できる。
【００２９】
なお、中間補強材１３０のクッション部は、被梱包物１の長手方向中心に配置されるようにするとよい。特に被梱包物１の長手方向における重量分布に偏りがある場合、中間補強材１３０のクッション部を、被梱包物１の重心に合わせて配置するとよい。また、被梱包物１の長さ、質量、形状等に応じて、中間補強材１３０を複数設けるようにしてもよい。
【００３０】
実施の形態２．
図７から図１０は、この発明の実施の形態２に係るもので、図７は梱包材の分解斜視図、図８は梱包材が備える中間補強材の斜視図、図９は梱包材の梱包途中の状態を示す斜視図、図１０は梱包材の外装箱の中に被梱包材を収めた状態を示す斜視図である。以下、この実施の形態２に係る梱包材について、実施の形態１の構成を元にした場合を例に挙げ、実施の形態１との相違点を中心に説明する。
【００３１】
この発明の実施の形態２に係る梱包材１００も、図７に示すように、実施の形態１と同じく、外装箱１１０、端部支持材１２０及び中間補強材１３０を備えている。ただし、この実施の形態２では、中間補強材１３０の構成が実施の形態１とは異なっている。図８に示すように、この実施の形態２における中間補強材１３０には、側板部１３２の中央に穴部１３６が形成されている。
【００３２】
そして、この穴部１３６の上方にある側板部１３２の部分が上クッション部１３４である。また、穴部１３６の下方にある側板部１３２の部分が下クッション部１３５である。穴部１３６の形状、すなわち、上クッション部１３４及び下クッション部１３５の内縁形状は、被梱包物１の長手に垂直な切断面における断面形状に合わせたものになっている。
【００３３】
被梱包物１を梱包材１００により梱包する際には、図９に示すように、中間補強材１３０は、一対の端部支持材１２０の間に配置される。この際、被梱包物１は、中間補強材１３０に形成された穴部１３６の内側を通される。そして、図４に示すように、被梱包物１、端部支持材１２０及び中間補強材１３０が外装箱１１０の内側に収容され、蓋部１１１を閉じることで梱包材１００による被梱包物１の梱包が完成する。
なお、他の構成については実施の形態１と同様であり、ここでは、その説明を省略する。
【００３４】
以上のように構成された梱包材においても、実施の形態１と同様の効果を奏することができる。さらに、この実施の形態２においては、中間補強材１３０が、被梱包物１の上下だけでなく、両方の側面の側も合わせた４方向に配置されている。このため、外装箱１１０の上下面及び両側面のうちのどの面が下を向いた状態で、梱包材１００が落下したとしても、その際の衝撃により被梱包物１がたわんで変形することを抑制できる。
【００３５】
また、この実施の形態２においては、被梱包物１の上下面部だけでなく両側面部が中間補強材１３０に接している。したがって、外装箱１１０の上下面及び両側面のうちのどの面が下を向いた状態で梱包材１００が落下したとしても、その際の衝撃により被梱包物１がたわんで変形することを、さらに低減又は抑制できる。
【符号の説明】
【００３６】
１    被梱包物
１００    梱包材
１１０    外装箱
１１１    蓋部
１２０    端部支持材
１３０    中間補強材
１３１    背板部
１３２    側板部
１３３    切欠部
１３４    上クッション部
１３５    下クッション部
１３６    穴部
２００    他の荷物
【図１】
2019099163.tif 000003
【図２】
2019099163.tif 000004
【図３】
2019099163.tif 000005
【図４】
2019099163.tif 000006
【図５】
2019099163.tif 000007
【図６】
2019099163.tif 000008
【図７】
2019099163.tif 000009
【図８】
2019099163.tif 000010
【図９】
2019099163.tif 000011
【図１０】
2019099163.tif 000012